(57)【要約】【課題】録画番組を再生する際の応答性と省メモリ性を両立させた符号化映像再生装置及び符号化映像再生方法を提供する。【解決手段】表示された再生リストから再生番組を指定する操作部４０の操作によって、記録再生ドライブ部１２に記録されている番組を再生する符号化映像再生装置であって、操作部４０の操作によって再生リストに含まれる各番組が選択されていた選択時間、再生の有無などに基づいて、ユーザーが各番組を好む度合いを示すユーザー操作履歴情報１０２を生成する操作履歴情報生成手段５２と、番組の再生実績に基づいてユーザーが各番組を好む度合いを示すユーザー嗜好情報１０１を生成する嗜好情報生成手段５１と、ユーザー操作履歴情報１０２及びユーザー嗜好情報１０１に基づいて番組視聴確率を算出する視聴確率算出手段５３とを有している。【選択図】図１
2010056702.tif 000002
【特許請求の範囲】
【請求項１】
記録されている番組の符号化ストリームを読出す再生ドライブ手段と、
前記再生ドライブ手段によって読出された前記符号化ストリームを記憶するバッファと前記バッファに記憶された前記符号化ストリームをデコードして映像信号を出力するデコーダとを含むデコーダ手段と、
表示装置に再生リストを表示させるための再生リスト画面信号を生成する画面生成手段と、
ユーザーによって操作される操作手段と、
前記再生ドライブ手段、前記デコーダ手段、及び前記画面生成手段の動作を制御するシステム制御手段と
を有し、
前記再生リストから再生番組を指定する前記操作手段の操作によって、前記再生ドライブ手段に記録されている番組を再生する符号化映像再生装置であって、
前記操作手段の操作によって前記再生リストに含まれる各番組が選択されていた選択時間に基づいて、ユーザーが前記記録されている番組の中の各番組を好む度合いを示すユーザー操作履歴情報を生成する操作履歴情報生成手段と、
前記ユーザー操作履歴情報に基づいて、前記記録されている番組をユーザーが視聴する確率を示す番組視聴確率を算出する視聴確率算出手段と
を有することを特徴とする符号化映像再生装置。
【請求項２】
前記選択時間は、前記再生リストにおいて各番組が選択されていた最新の時間であることを特徴とする請求項１に記載の符号化映像再生装置。
【請求項３】
前記操作履歴情報生成手段は、前記選択時間及び番組再生指示の有無に基づいて、前記ユーザー操作履歴情報を生成することを特徴とする請求項１又は２に記載の符号化映像再生装置。
【請求項４】
前記再生ドライブ手段に記録されている番組の再生実績に基づいて、ユーザーが前記記録されている番組の中の各番組を好む度合いを示すユーザー嗜好情報を生成する嗜好情報生成手段をさらに有し、
前記視聴確率算出手段は、前記ユーザー嗜好情報と前記ユーザー操作履歴情報とに基づいて、前記記録されている番組をユーザーが視聴する確率を示す前記番組視聴確率を算出する
ことを特徴とする請求項１乃至３のいずれか１項に記載の符号化映像再生装置。
【請求項５】
前記操作履歴情報生成手段は、前記再生リストにおける各番組の前記選択時間が所定の閾値を越えるか否かに基づいた前記ユーザー操作履歴情報を生成することを特徴とする請求項１乃至４のいずれか１項に記載の符号化映像再生装置。
【請求項６】
前記所定の閾値は、第１の閾値と、前記第１の閾値より長い第２の閾値と、前記第２の閾値より長い第３の閾値とを含み、
前記選択時間が、前記第２の閾値以上前記第３の閾値未満である番組に、前記ユーザー操作履歴情報としてユーザーが当該番組を好む度合いを示すポイントとして最も高いポイントを付与し、
前記選択時間が、前記第１の閾値以上前記第２の閾値未満である番組、及び、前記第３の閾値以上である番組に、前記ユーザー操作履歴情報としてユーザーが当該番組を好む度合いを示すポイントとして２番目に高いポイントを付与し、
前記選択時間が、前記第１の閾値未満である番組に、前記ユーザー操作履歴情報としてユーザーが当該番組を好む度合いを示すポイントとして最も低いポイントを付与する
ことを特徴とする請求項５に記載の符号化映像再生装置。
【請求項７】
前記操作履歴情報生成手段は、前記操作手段によるユーザー操作の実績値が全般的に遅いほど前記所定の閾値のレベルを上げ、記操作手段によるユーザー操作の実績値が全般的に速いほど前記所定の閾値のレベルを下げることを特徴とする請求項５又は６に記載の符号化映像再生装置。
【請求項８】
前記システム制御手段は、前記視聴確率算出手段が算出した前記番組視聴確率が高い番組から順に前記再生ドライブ手段から前記デコーダ手段の前記バッファ手段に前記符号化ストリームを充填することを特徴とする請求項１乃至７のいずれか１項に記載の符号化映像再生装置。
【請求項９】
前記システム制御手段は、前記視聴確率算出手段が算出した前記番組視聴確率が高い番組から順に並ぶように、前記再生リストの番組表示位置を再構成することを特徴とする請求項１乃至７のいずれか１項に記載の符号化映像再生装置。
【請求項１０】
再生ドライブ手段に符号化ストリームとして記録された番組を読出すステップと、
前記読出された前記符号化ストリームをバッファに記憶し、デコーダ手段が前記バッファに記憶された前記符号化ストリームをデコードして映像信号を出力するステップと、
画面生成手段が、再生リストを表示させるための再生リスト画面信号を生成するステップと、
操作履歴情報生成手段が、表示装置に表示された前記再生リストから再生番組を指定する操作手段の操作によって、前記再生リストに含まれる各番組が選択されていた選択時間に基づいて、ユーザーが前記記録されている番組の中の各番組を好む度合いを示すユーザー操作履歴情報を生成するステップと、
視聴確率算出手段が、前記ユーザー操作履歴情報に基づいて、前記記録されている番組をユーザーが視聴する確率を示す番組視聴確率を算出するステップと
を有することを特徴とする符号化映像再生方法。
【請求項１１】
前記選択時間は、前記再生リストにおいて各番組が選択されていた最新の時間であることを特徴とする請求項１０に記載の符号化映像再生方法。
【請求項１２】
前記ユーザー操作履歴情報を生成する前記ステップにおいて、前記操作履歴情報生成手段は、前記選択時間及び番組再生指示の有無に基づいて、前記ユーザー操作履歴情報を生成することを特徴とする請求項１０又は１１に記載の符号化映像再生方法。
【請求項１３】
嗜好情報生成手段が、前記再生ドライブ手段に記録されている番組の再生実績に基づいて、ユーザーが前記記録されている番組の中の各番組を好む度合いを示すユーザー嗜好情報を生成するステップをさらに有し、
前記番組視聴確率を算出する前記ステップにおいて、前記視聴確率算出手段は、前記ユーザー嗜好情報と前記ユーザー操作履歴情報とに基づいて、前記記録されている番組をユーザーが視聴する確率を示す前記番組視聴確率を算出する
ことを特徴とする請求項１０乃至１２のいずれか１項に記載の符号化映像再生方法。
【請求項１４】
前記ユーザー操作履歴情報を生成する前記ステップにおいて、前記操作履歴情報生成手段は、前記再生リスト上での番組毎の選択時間が所定の閾値を越えるか否かに基づいた前記ユーザー操作履歴情報を生成することを特徴とする請求項１０乃至１３のいずれか１項に記載の符号化映像再生方法。
【請求項１５】
前記ユーザー操作履歴情報を生成する前記ステップにおいて、
前記所定の閾値は、第１の閾値と、前記第１の閾値より長い第２の閾値と、前記第２の閾値より長い第３の閾値とを含み、
前記選択時間が、前記第２の閾値以上前記第３の閾値未満である番組に、前記ユーザー操作履歴情報としてユーザーが当該番組を好む度合いを示すポイントとして最も高いポイントを付与し、
前記選択時間が、前記第１の閾値以上前記第２の閾値未満である番組、及び、前記第３の閾値以上である番組に、前記ユーザー操作履歴情報としてユーザーが当該番組を好む度合いを示すポイントとして２番目に高いポイントを付与し、
前記選択時間が、前記第１の閾値未満である番組に、前記ユーザー操作履歴情報としてユーザーが当該番組を好む度合いを示すポイントとして最も低いポイントを付与する
ことを特徴とする請求項１４に記載の符号化映像再生方法。
【請求項１６】
前記操作手段によるユーザー操作の実績値が全般的に遅いほど前記所定の閾値のレベルを上げ、記操作手段によるユーザー操作の実績値が全般的に速いほど前記所定の閾値のレベルを下げることを特徴とする請求項１４又は１５に記載の符号化映像再生方法。
【請求項１７】
前記読出された前記符号化ストリームをバッファに記憶する際に、システム制御手段は、前記視聴確率算出手段再生が算出した前記番組視聴確率が高い番組から順に前記再生ドライブ手段から前記デコーダ手段の前記バッファ手段に符号化ストリームを充填することを特徴とする請求項１０乃至１６のいずれか１項に記載の符号化映像再生方法。
【請求項１８】
前記再生リスト画面信号を生成する前記ステップにおいて、システム制御手段は、前記視聴確率算出手段再生が算出した前記番組視聴確率が高い番組から順に並ぶように、前記再生リストの番組表示位置を再構成することを特徴とする請求項１０乃至１６のいずれか１項に記載の符号化映像再生方法。
【発明の詳細な説明】
【技術分野】
【０００１】
本発明は、表示装置に表示された番組の再生リスト上で再生番組を選択する機能を持つ符号化映像再生装置及びこの装置で実行することができる符号化映像再生方法に関するものである。
【背景技術】
【０００２】
符号化圧縮された映像情報を記録及び再生する符号化映像再生装置として、ハードディスクレコーダーがある。番組再生時に、ユーザーは、番組一覧を示す再生リスト上で番組を選択し、選択した番組の再生指示を操作部から入力する。しかし、ハードディスクレコーダーに内蔵されたハードディスク装置から符号化ストリームを読出してＡＶデコーダ用ＡＶバッファに充填するには非常に多くの時間を要するので、操作部による再生指示から番組の映像の出画開始までに非常に多くの時間を要するという問題があった。また、録画番組のハイビジョン化により番組あたりの情報量が膨大になっているので、ハードディスク装置から読出しＡＶバッファに書込む情報の量が増加しており、このことも、出画までの応答性の低下の要因になっている。
【０００３】
出画までの応答性を向上させるために、符号化映像再生装置内のＡＶデコーダ用ＡＶバッファに、複数の録画番組の映像情報をあらかじめ蓄えておく符号化映像再生装置の提案がある（例えば、特許文献１参照）。この方式を用いると、ハードディスク装置からＡＶバッファへの読出しが既に終了している番組については、直ぐに出画を開始することができる。なお、ハードディスク装置などの記録装置から番組の映像情報を事前にＡＶバッファに充填することを、以下において「プリロード」とも言う。
【０００４】
また、次に読込まれるべきメニュー画面をあらかじめＡＶバッファにプリロードしておくことで、即座に映像出力ができる符号化映像再生装置が開示されている（例えば、特許文献２参照）。この装置によれば、ユーザー操作により、コンテンツ情報の再生中に、比較的容易且つ処理パフォーマンスを低下させることなくボタンメニューの切替えができる。
【０００５】
【特許文献１】特開平０８−１９４９８２号公報（第１−３頁、図１）
【特許文献２】特開２００６−２２９９９６号公報（第１−９頁、図２５）
【発明の開示】
【発明が解決しようとする課題】
【０００６】
しかしながら、特許文献１の方式においては、高価なＡＶデコーダ用のＡＶバッファに大きな容量が必要となるため、装置価格の高騰につながるという問題がある。また、特許文献１はＡＶバッファに充填する番組の順序についての開示はなく、ＡＶバッファに充填する番組が、ユーザーが視聴したい番組であるか否かについて考慮されていないという問題がある。特に、ハードディスク装置に番組が数多く記録されている場合には、再生指示した番組がＡＶバッファに充填されていない番組であることが多く、即座に出画できない確率が高くなるという問題がある。
【０００７】
また、特許文献２の方式においては、ＡＶバッファに順次読込まれるべき番組は、ユーザーの嗜好性などに基づいて算出されておらず、あらかじめディスクで定められているシナリオに基づいて読込むべきデータを決定している。そのため、特許文献２の方式は、再生リストからユーザーが任意の番組を再生選択するような場合において、全く意味をなさない。
【０００８】
そこで、本発明は、上記従来技術の課題を解決するためになされたものであり、録画番組を再生リストの選択及び再生指示によって再生させる際の出画の応答性とデコーダ手段用のバッファの省メモリ性を両立させた符号化映像再生装置及び符号化映像再生方法を提供することを目的としている。
【課題を解決するための手段】
【０００９】
本発明の符号化映像再生装置は、記録されている番組の符号化ストリームを読出す再生ドライブ手段と、前記再生ドライブ手段によって読出された前記符号化ストリームを記憶するバッファと前記バッファに記憶された前記符号化ストリームをデコードして映像信号を出力するデコーダとを含むデコーダ手段と、表示装置に再生リストを表示させるための再生リスト画面信号を生成する画面生成手段と、ユーザーによって操作される操作手段と、前記再生ドライブ手段、前記デコーダ手段、及び前記画面生成手段の動作を制御するシステム制御手段とを有し、前記再生リストから再生番組を指定する前記操作手段の操作によって、前記再生ドライブ手段に記録されている番組を再生する符号化映像再生装置であって、前記操作手段の操作によって前記再生リストに含まれる各番組が選択されていた選択時間に基づいて、ユーザーが前記記録されている番組の中の各番組を好む度合いを示すユーザー操作履歴情報を生成する操作履歴情報生成手段と、前記ユーザー操作履歴情報に基づいて、前記記録されている番組をユーザーが視聴する確率を示す番組視聴確率を算出する視聴確率算出手段とを有することを特徴としている。
【００１０】
また、本発明の符号化映像再生方法は、再生ドライブ手段に符号化ストリームとして記録された番組を読出すステップと、前記読出された前記符号化ストリームをバッファに記憶し、デコーダ手段が前記バッファに記憶された前記符号化ストリームをデコードして映像信号を出力するステップと、画面生成手段が、再生リストを表示させるための再生リスト画面信号を生成するステップと、操作履歴情報生成手段が、表示装置に表示された前記再生リストから再生番組を指定する操作手段の操作によって、前記再生リストに含まれる各番組が選択されていた選択時間に基づいて、ユーザーが前記記録されている番組の中の各番組を好む度合いを示すユーザー操作履歴情報を生成するステップと、視聴確率算出手段が、前記ユーザー操作履歴情報に基づいて、前記記録されている番組をユーザーが視聴する確率を示す番組視聴確率を算出するステップとを有することを特徴としている。
【発明の効果】
【００１１】
本発明によれば、デコーダ手段のバッファのサイズを大きくすることなく、再生リストで再生番組を選択し再生開始指示を入力してから、出画までに要する時間を短縮して素早い出画開始が行われる確率を高くすることができるという効果がある。
【発明を実施するための最良の形態】
【００１２】
実施の形態１．
実施の形態１に係る符号化映像再生装置及び符号化映像再生方法においては、録画番組毎のユーザー嗜好性と、操作部からのユーザー操作履歴情報（例えば、再生リストに含まれる番組を選択している時間（ボタン選択速度）及び／又はその選択された番組の選択の決定（再生指示）など）とに基づいてユーザーが視聴する蓋然性の度合い（視聴確率）を算出し、算出された視聴確率が高い番組から順に映像情報をあらかじめＡＶバッファにプリロードする。このように構成することで、操作部による再生番組の選択から画像出力（表示装置における出画）までの応答性の向上と、ＡＶバッファの省メモリ化とを両立させることができる。
【００１３】
図１は、本発明の実施の形態１に係る符号化映像再生装置１（すなわち、実施の形態１に係る符号化映像再生方法を実施することができる装置）の構成を概略的に示すブロック図である。符号化映像再生装置１は、例えば、ハードディスクレコーダー、光ディスクレコーダーなどの映像記録再生装置、映像再生装置、又はパーソナルコンピュータなどを含む。図１に示されるように、符号化映像再生装置１は、ストリーム情報の記録及び再生を行うデコーダブロック１０と、メモリ部２０と、時間情報を提供する時間情報提供部３０と、ユーザーによって操作される操作部４０と、符号化映像再生装置１全体を統合制御するシステム制御部５０とを有する。
【００１４】
デコーダブロック１０は、デジタル放送信号が入力される放送受信部１１と、記録再生ドライブ部１２と、ストリーム制御部１３と、映像音声デコーダ部１４と、ＯＳＤ（Ｏｎ  Ｓｃｒｅｅｎ  Ｄｉｓｐｌａｙ）画面情報を生成するＯＳＤ生成部１７と、加算器１８と、デジタルインターフェース部１９とを有している。映像音声デコーダ部１４は、ＡＶバッファ１５とＡＶデコーダ１６とを有している。デコーダブロック１０は、システム制御部５０からの指示のもと、ストリーム情報の記録及び再生を行う。
【００１５】
放送受信部１１は、あらかじめＭＰＥＧ−２トランスポートストリーム（ＭＰＥＧ−２  ＴＳ）形式で符号化圧縮されたデジタル放送波を受信する。デジタル放送波は、複数番組の映像音声が多重化されたものであってもよい。その場合、放送受信部１１は、特定番組のＭＰＥＧ−２  ＴＳのみを抽出する。ストリーム制御部１３は、システム全体のストリームの流れを統括制御する。
【００１６】
記録再生ドライブ部１２は、例えば、ハードディスク装置、光ディスクドライブ、ＳＤメディアドライブなどのような記録再生装置であり、ハードディスク、光ディスク、ＳＤメディアのような情報記録媒体に情報を書込み及び情報記録媒体から情報を読出す。記録再生ドライブ部１２には、符号化映像が多重化されたストリーム情報及び当該ストリーム情報の再生制御情報が記録される。再生制御情報には、記録再生ドライブ部１２に記録されているストリーム情報から分離した符号化映像・音声ストリームに関する映像又は音声の属性情報、ストリーム情報のアクセス単位（通常ＧＯＰ単位）で再生開始時間情報と再生開始位置情報の対応関係を示す情報などが含まれる。なお、以下の説明においては、記録再生ドライブ部１２がハードディスク装置である場合を説明する。また、記録再生ドライブ部１２が記録機能を持たない再生専用の再生ドライブ部である場合も、本発明に含まれる。
【００１７】
デジタル放送波を記録再生ドライブ部１２に記録する場合、放送受信部１１から出力されたＭＰＥＧ−２  ＴＳはストリーム制御部１３に供給される。システム制御部５０からの指示にしたがって、供給されたＭＰＥＧ−２  ＴＳのストリーム情報は、記録再生ドライブ部１２でハードディスクに記録される。ストリーム制御部１３は、アクセス単位（ＧＯＰ単位）毎にシステム制御部５０に、再生制御情報を構成する再生開始時間情報、再生開始位置情報、及び映像情報の属性情報などを通知する。システム制御部５０は、通知された再生制御情報を記録再生ドライブ部１２に対して逐次記録することで、記録動作が行われる。
【００１８】
記録再生ドライブ部１２に記録されたストリーム情報を再生させる処理は、以下のように実行される。ストリーム情報の再生前に、システム制御部５０は、記録再生ドライブ部１２から再生対象のストリーム情報に関連する再生制御情報をあらかじめ読み出して、記録再生ドライブ部１２よりも読出し速度の速いメモリ部２０に保持させ、メモリ部２０から再生制御情報を即座に読み出せるようにする。ユーザーによってストリーム情報の再生が指示されると、システム制御部５０は、メモリ部２０から再生制御情報を読み出し、周辺デバイスに対して再生準備を行うよう指示する。
【００１９】
次に、システム制御部５０は、記録再生ドライブ１２に記録されたストリーム情報を読み出し、ストリーム制御部１３を経由して、映像音声デコーダ部１４内のＡＶバッファ１５に充填する。ＡＶバッファ１５は、記録再生ドライブ１２のハードディスクに格納されている情報を、連続的にＡＶデコーダ１６に供給するために設けられた一次メモリ領域であり、一般的には小さなメモリ領域である。ＡＶバッファ１５に所定量の符号化映像音声情報が書き込まれた後、システム制御部５０からの指示で、ＡＶデコーダ１６は、ＡＶバッファ１５に書き込まれた符号化映像音声情報を読み出し、符号化圧縮された映像ストリーム又は音声ストリームに分離する。その後、ＡＶデコーダ１６は、ＭＰＥＧ−２などで符号化された映像ストリームをデコード処理して映像信号に復号し、ＡＣ−３などで符号化された音声ストリームをデコード処理して音声信号に復号する。復号された映像信号及び音声信号は、デジタルインターフェース部１９に出力される。通常、記録再生ドライブ部１２に蓄積されたストリーム情報をＡＶバッファ１５に充填する処理が非常に長い時間を要するため、再生する番組の選択操作が行われた時点から映像が表示されるまでに多くの時間をかかることが知られている。
【００２０】
ＯＳＤ生成部１７は、システム制御部５０によって生成される後述する再生リストや機能選択画面などを画面上に表示するためのＯＳＤ画面情報を生成する。加算器１８は、ＯＳＤ生成部１７が生成したＯＳＤ情報をＡＶデコーダ１６の出力に加算する。システム制御部５０は、装置状態に応じて、再生リスト画面や映像再生を切替える。また、再生リスト画面上に、復号化された映像信号を重畳して表示してもよい。
【００２１】
デジタルインターフェース部１９は、供給された映像信号及び音声信号を、例えば、ＨＤＭＩインターフェースに適合した信号に変換する。表示装置２は、デジタルインターフェース部１９からの出力映像信号に基づく映像を表示し、出力音声信号に基づく音声を出力する。実施の形態１においては、操作部４０からの制御信号に基づいて視聴確率を算出するが、ＨＤＭＩインターフェースのＣＥＣ（Ｃｏｎｓｕｍｅｒ  Ｅｌｅｃｔｒｏｎｉｃｓ  Ｃｏｎｔｒｏｌ）信号を利用して表示装置２から、符号化映像再生装置１を操作してもよい。
【００２２】
操作部４０は、ユーザーによって操作される符号化映像再生装置１のフロントパネルに配置されている操作パネル又はリモコンなどである。ユーザーは、操作部４０を操作することによって、符号化映像再生装置１に対してユーザーの要求を入力する。システム制御部５０は、操作部４０によって入力された要求（命令）の内容を解釈し、デコーダブロック１０を制御することで任意のストリーム情報を再生する。
【００２３】
時間情報提供部３０は、システム制御部５０に時刻情報を提供する。システム制御部５０は、提供された時刻情報を、録画予約を行う際の時間情報として使用する。また、時間情報提供部３０から提供される時間情報は、再生リスト上の番組選択時間を計測する際にも利用される。
【００２４】
メモリ部２０は、不揮発性メモリであり、符号化映像再生装置１に記録された番組のユーザー嗜好情報１０１と、操作部４０からの入力操作の履歴情報であるユーザー操作履歴情報１０２とが記録される。メモリ部２０に記憶されたユーザー嗜好情報１０１及びユーザー操作履歴情報１０２は、システム制御部５０から直接アクセスできる情報であるが、記録再生ドライブ部１２に保存されていてもよい。
【００２５】
システム制御部５０は、操作部４０の操作によって再生リストに含まれる各番組が選択されている選択時間（例えば、図４に示されるように、選択枠で囲われている状態になっている時間）に基づいて、ユーザーが現在記録されている番組の中の各番組を好む度合いを示すユーザー操作履歴情報１０２を生成する操作履歴情報生成手段５２と、記録再生ドライブ部１２に記録されている番組の再生実績に基づいて、ユーザーが現在記録されている番組の中の各番組を好む度合いを示すユーザー嗜好情報１０１を生成する嗜好情報生成手段５１と、ユーザー嗜好情報１０１とユーザー操作履歴情報１０２とに基づいて、現在記録されている番組をユーザーが視聴する確率を示す番組視聴確率を算出する視聴確率算出手段５３とを有している。操作履歴情報生成手段５２は、再生リストにおける番組の選択時間と、選択された番組の再生指示の有無とに基づいて、ユーザー操作履歴情報１０２を生成してもよい。
【００２６】
上記のように、ユーザー嗜好情報１０１は、当該符号化映像再生装置１を使用するユーザーが、現在記録されている番組中でどの番組を好んで視聴したかを示す情報である。システム制御部５０の嗜好情報生成手段５１は、記録再生ドライブ部１２に記録されている番組の再生実績に基づいて、ユーザーが現在記録されている番組の中の各番組を好む度合いを示すユーザー嗜好情報１０１を生成する。実施の形態１において、ユーザー嗜好情報１０１は、番組開始時間、ジャンル、キーワードなどのカテゴリ毎に、記録再生実績の高い番組から順位付けした情報である。なお、ユーザー嗜好情報１０１には、順位付けするための情報として、録画番組履歴、番組再生率、番組消去有無、及び番組生存期間などの機器利用実績を示したリスト情報である番組履歴情報も含まれる。ユーザー操作履歴情報１０２は、再生リスト画面や編集画面上で、番組毎の選択時間及び／又は再生指示可否に応じて、現時点の番組の嗜好度を数値化した情報である。システム制御部５０の操作履歴情報生成手段５２は、操作部４０の操作によって再生リストに含まれる各番組が選択されていた選択時間及び／又は番組再生指示の有無に基づいて、ユーザーが記録されている番組の中の各番組を好む度合いを示すユーザー操作履歴情報を生成する。
【００２７】
視聴確率算出手段５３は、録画番組毎に再生される確率を算出する。視聴確率算出手段５３は、システム制御部５０内に備えられ、再生リスト画面や編集画面の表示指示があった際に、ユーザー嗜好情報１０１及びユーザー操作履歴情報１０２に基づいて、視聴される確率の高い番組を推定する。視聴確率算出手段５３は、システム制御部５０内のファームウェアなどで構成される。ただし、視聴確率算出手段５３は、システム制御部５０の外部に備えられてもよく、また、ハードウェアによって構成されてもよい。なお、視聴確率算出手段５３は、ユーザー嗜好情報１０１を参照せず、ユーザー操作履歴情報１０２に基づいて番組視聴確率を算出することもできる。
【００２８】
図２は、ユーザー要求を行う操作部４０であるリモコンを示す図である。リモコンは、符号化映像再生装置１を制御するための信号を制御コードとして送信するための機器である。リモコンの各ボタンには、制御コードがあらかじめ割り当てられている。リモコンのボタンを押下することにより、対応する制御コードが赤外線などの信号として送信される。なお、操作部４０は、符号化映像再生装置１の前面などにリモコンと同等の機能を有する操作パネルであってもよいが、以下においては、操作部４０がリモコンである場合を説明する。
【００２９】
リモコンの電源キー４１は、符号化映像再生装置１の電源をＯＮ／ＯＦＦさせるキーである。リモコンの数字キー群４２は、０から１２までの番号を直接入力できる数字キーからなる。数字キー群４２の番号を利用し、同じ番組番号のタイトルを直接呼び出すことができる。リモコンの番組操作キー群４３は、番組の再生、停止、早送り、巻戻しを行うキーである。リモコンの再生ナビキー４４は、符号化映像再生装置１内の録画番組一覧を表示させるキーである。リモコンの戻るキー４５は、画面状態を直前の状態に戻すキーである。リモコンの上下左右キー４６は、再生リスト画面などにおいて、番組を選択する際に選択位置を移動させるために使用されるキーである。リモコンの決定キー４７は、番組再生指示を行う際に、押下されるキーである。上下左右キー４６を押下することにより、ユーザーは任意の番組を選択し、その後決定キー４７を押下することにより当該番組の再生を決めることができる。色キー群４８は、様々な機能に割り当てることが可能なキーである。
【００３０】
図３は、メモリ部２０に記録されている録画番組情報３００のデータ構造を示す図である。録画番組情報３００は、番組毎に区分けして管理されている。録画番組情報３００の中の１つの番組に対応した情報を、番組レコード３０１と言う。図３は、１５個の番組レコード３０１が記録されている例を示している。番組レコード３０１は、同番組におけるタイトル識別ＩＤ３１１、タイトル名３１２、ジャンル情報３１３、記録日時３１４、記録時間３１５、画質情報３１６、視聴回数３１７、再生率３１８、及びユーザー情報３１９から構成される。これらの情報は、例えば、ＥＰＧ（Ｅｌｅｃｔｒｉｃ  Ｐｒｏｇｒａｍ  Ｇｕｉｄｅ）を利用して番組予約した際に得られる属性情報であればよく、他の属性情報を含んでもよい。
【００３１】
タイトル識別ＩＤ３１１は、所定の番組を一意に特定するための識別情報（識別ＮＯ．）である。タイトル名３１２及びジャンル情報３１３としては、ＥＰＧから取得される情報が設定される。また、記録日時３１４、記録時間３１５、画質情報３１６、及びユーザー情報３１９は、記録時にシステム制御部５０が付加した情報である。また、視聴回数３１７及び再生率３１８は、再生時にシステム制御部５０が付加する情報である。
【００３２】
画質情報３１６は、録画番組の記録画質を示す情報である。画質情報３１６としては、例えば、ＤＲ、ＡＦ、ＡＮ、ＡＥという４種類の録画レートがある。ＤＲは、デジタル放送波を直接記録する録画レートであり、放送波とほぼ同じ画質で記録できる反面、約２４Ｍｂｐｓという高いビットレートで記録される。ＡＦ、ＡＮ、ＡＥは、放送波を一旦トランスコードやリエンコードなどの手法により再符号化して記録する録画レートである。ＡＦ、ＡＮ、ＡＥによって記録された場合の画質は、ＤＲの場合の画質よりも劣るが、単位時間あたりのビットレートを削減することができるため、ハードディスク装置により長時間記録することができる。単位時間当たりのデータ量は、ＡＦ＞ＡＮ＞ＡＥで設定され、画質の順位は、ＡＦ、ＡＮ、ＡＥの順になる。なお、画質とデータ量はトレードオフの関係があり、画質を向上させるとデータ量が増え、データ量を減らすと画質が低下する。
【００３３】
視聴回数３１７として、当該番組を視聴した回数が記録される。視聴回数３１７の値が大きいほど、繰り返し何度も視聴されたことを示し、視聴回数３１７の値が０に設定されていることは視聴実績がないことを示す。
【００３４】
再生率３１８は、当該番組を再生した割合を示し、０〜１００（％）の値が設定される。値０は、当該番組が全く再生されていないことを示し、値１００は、当該番組が全ての番組区間で再生されたことを示す。例えば、６０分の番組に対して１５分間通常再生した場合には、
｛（再生時間）÷（番組長）×１００｝＝１５÷６０×１００＝２５％
から、再生率３１８として値２５が設定される。再生率３１８の値は、当該番組を次に再生した際には、当該番組を前に再生した際の値に積算される。積算値が１００を超える場合は、値１００が設定される。実施の形態１においては、通常再生によって再生した割合を示しているが、例えば、倍速再生などのような特殊再生によって再生した区間についても再生時間にカウントしてもよい。また、再生率３１８の値はユーザーの興味を示す値としても用いることができるので、編集やダビングを行った番組に対しては再生率３１８として、一定の値を加算した値を用いてもよい。
【００３５】
ユーザー情報３１９は、当該番組を記録したユーザーを示す情報であり、記録時や予約時に設定される。実施の形態１においては、星型や菱形のようなマーク情報として登録する。なお、所属ユーザーが存在しない場合は、ユーザー情報３１９としてのマークを付加しない。
【００３６】
図４は、再生リスト画面４００の一例を示す図である。再生リスト画面４００は、例えば、リモコンの再生ナビキー４４を押下することで表示される。再生リスト画面４００は、ユーザーが符号化映像再生装置１内の番組情報を確認し、任意の番組を選択及び再生開始させるために使用される画面である。再生リスト画面４００は、番組情報を一覧表示する番組選択情報領域４０１と、選択枠４０２とを含む。図４においては、１画面に６つの番組レコード３０１を表示することができ、ユーザーは上下左右キー４６を操作することによって、図４中の選択枠４０２を移動し再生する番組を選択する。その後、リモコンの決定キー４７を押下することによって、選択枠４０２にて選択された番組の再生が開始される。
【００３７】
一般的には、番組選択情報領域４０１の番組レコード３０１は、記録日時順でソートされて配置されており、リモコンの再生ナビキー４４を押下した際には記録日時が最新の６番組が選出される。また、番組選択情報領域４０１の最下部には、次ページボタン４０３が配置されており、次ページボタン４０３を押下することにより次に続く番組が存在する場合には番組選択情報領域４０１が更新される。具体的には、番組７から番組１２までの６番組が表示される。その更新単位をページと呼び、ページ情報表示領域４１０には、「現在ページ数／全ページ数」が表示される。
【００３８】
番組詳細情報表示領域４２０は、選択枠４０２で選択している番組の番組詳細情報を表示する領域である。番組詳細情報表示領域４２０には、番組の代表画像４２１や録画チャンネル、記録時間、番組詳細説明などが表示され、ユーザーはこれらの情報を元に、選択枠４０２で選択した番組がどのような番組かを判断する。
【００３９】
ソート順序表示領域４３０は、番組選択情報領域４０１をどのような順番で並べ替えるかを決定するソート順序を表示する領域である。例えば、リモコンの色キー群４８中の黄色キーが押下されたときには、視聴確率の高いものから順番にソートして配置する。また、リモコンの色キー群４８中の緑キーが押下されたときには、記録日時の新しいものからの順番に並べ替え、リモコンの色キー群４８中の赤キーが押下されたときには、ユーザー単位で並べ替えを行う。
【００４０】
図５（ａ）乃至（ｃ）は、ユーザー嗜好情報１０１の構成要素であるユーザー嗜好テーブルを示す。実施の形態１においては、ユーザー嗜好テーブルは、ジャンル、タイトル名、及び画質に関する３つのカテゴリに対して順位及び加点ポイントをリスト化したものである。これらの加点ポイントは、符号化映像再生装置１があらかじめ初期値を保持していてもよく、また、ユーザー操作によって手動で決められてもよい。
【００４１】
図５（ａ）に示されるユーザー嗜好リスト（ジャンル）５０１及び図５（ｂ）に示されるユーザー嗜好リスト（タイトル名）５０２では、符号化映像再生装置１の録画実績及び／又は再生実績に基づいて、記録及び／又は再生した実績の多いものから順に順位付けをしている。また、再生に関しては、視聴回数３１７や再生率３１８を加味してもよい。具体的には、図５（ａ）において、記録再生実績が一番多かった「国内（ドラマ）」について＋２０点の加点が行われる。なお、これらのテーブルはユーザーが番組を記録及び／又は再生するたびに自動的に更新されるもので、機器の使用実績から好みの番組を類推するために使用する。
【００４２】
図５（ｂ）に示されるユーザー嗜好リスト（タイトル名）５０２は、ＥＰＧから取得した番組名からキーワードを自動で抜き出して作成してもよく、また、初期設定画面からユーザーが手動で入力して作成してもよい。
【００４３】
図５（ｃ）に示されるユーザー嗜好リスト（画質）５０３は、録画番組の画質３１６に基づいて加点される。ユーザーの興味が高いものは良い画質で記録される傾向にあるため、画質が高いほど加点ポイントも高く設定される。また、画質が高いほど情報量が大きいため読出しに多くの時間を要する。実施の形態１においては、このようなタイトルを重点的にプリロードすることによって、好みの番組をより素早く映像表示することができる。
【００４４】
実施の形態１においては、３つにカテゴライズされたユーザー嗜好リストを用いているが、更に多くのカテゴリに対してユーザー嗜好を分析してもよい。また、図５（ａ）乃至（ｃ）においては、各カテゴリに対して、３番目までの順位付けを行っている場合を示しているが、更に多くの順位まで順位付けしてもよい。
【００４５】
図６は、記録番組の嗜好ポイントの算出方法を示す図である。まず、番組レコード３０１の番組タイトル、ジャンル、画質情報を抽出する。その後、各ユーザー嗜好テーブルで求められた各カテゴリの嗜好ポイントの総和が、嗜好ポイント６００で示される。具体的には、図３において、識別番号３１１が「０４」で示される番組にて説明する。図３において識別番号３１１が「０４」で示される番組は、番組タイトル「プロジェクトＺ〜コンピュータ世界」、ジャンル「情報」、画質情報「ＤＲ」である。また、図５（ａ）から、ジャンル「情報」のポイントは＋１０であり、タイトル名「プロジェクトＺ」のポイントは＋２０であり、画質情報「ＤＲ」のポイントは＋１５である。したがって、図６に示されるように、番組レコード３０１の嗜好ポイント６００は、４５（＝１０＋２０＋１５）となる。
【００４６】
図７（ａ）及び（ｂ）は、ユーザー操作履歴情報１０２の操作ポイント（補正前）の算出方法を示す図である。操作ポイント（補正前）７０１は、ユーザー操作による番組嗜好性を算出したポイントである。例えば、ユーザーが再生リスト画面４００にて番組を選択するときに、リモコンの上下左右キー４６を操作することで番組レコード３０１のいずれかを選択する。その際に、再生リストにおいて番組毎に選択された時間を計測し、選択時間情報７０２として記録する。選択時間情報７０２は、直前に行った選択時間を計測するものであり、複数回当該番組を選択した場合には、最後に選択した時間（すなわち、最新の選択時間）が記録される。また、決定可否情報７０３は、当該番組の再生指示を行ったか否かを示す情報である。実施の形態１においては、選択時間情報７０２と決定可否情報７０３とから操作ポイント（補正前）７０１を算出する場合を説明する。
【００４７】
操作ポイント（補正前）７０１を算出する際には、操作ポイントテーブル７０４を使用する。操作ポイントテーブル７０４は、番組選択確定時又は番組選択未確定時によって異なるテーブルが用意されている。番組選択確定時とは、図４に示されるように再生リストの番組を選択し（選択枠で囲う状態にし）、その後、リモコンの決定キー（図２の４７）を押下することによって再生を開始させたときである。番組選択未確定時とは、図４に示されるように再生リストの番組を選択し（選択枠で囲う状態にし）ときであって、リモコンの決定キーを押下しないときである。再生リスト画面４００にて番組レコード３０１を選択して選択を確定したときには、すなわち、番組選択を確定して再生開始が指示された場合には、操作ポイントとして、番組選択時間の時間長にかかわらず一律で番組選択確定時のポイントである＋２０点が加点される。
【００４８】
番組選択未確定時（再生リストの番組の選択を移動させる途中など）には、番組毎の選択時間に応じて操作ポイントが加点される。なお、選択時間を決定するための選択判定閾値７０５を、図７（ｂ）に一覧表で示す。実施の形態１においては、選択判定閾値７０５として、３つの閾値が設定されている。３つの閾値は、最も低い値の閾値ＴＨ＿Ｌｏｗｅｒと、中間の値の閾値ＴＨ＿Ｎｏｒｍａｌと、最も高い値の閾値ＴＨ＿Ｈｉｇｈｅｒとを含む。すなわち、
ＴＨ＿Ｌｏｗｅｒ＜ＴＨ＿Ｎｏｒｍａｌ＜ＴＨ＿Ｈｉｇｈｅｒ
である。操作ポイントテーブル（非選択時）７０６は、選択判定閾値７０５に基づいて５つに区分けされる。
【００４９】
まず、再生リスト画面４００にて番組レコード３０１を選択していた時間、すなわち、選択時間ｔｉｍｅが「０≦ｔｉｍｅ＜ＴＨ＿Ｌｏｗｅｒ」である場合、選択時間ｔｉｍｅが極めて短く、ユーザーは、当該番組に興味がないと判断する。通常は、上下左右キー４６の連打などによる時間がこの区間に当てはまる。選択時間ｔｉｍｅが、この区間に当てはまる場合、操作ポイントには−１０点の加点（１０点の減点）が行われる。
【００５０】
選択時間ｔｉｍｅが「ＴＨ＿Ｌｏｗｅｒ≦ｔｉｍｅ＜ＴＨ＿Ｎｏｒｍａｌ」である場合、選択時間ｔｉｍｅが標準的選択時間であるとみなす。選択時間ｔｉｍｅがこの区間に当てはまる場合、操作ポイントには＋５点が加点される。
【００５１】
また、選択時間ｔｉｍｅが「ＴＨ＿Ｎｏｒｍａｌ≦ｔｉｍｅ＜ＴＨ＿Ｈｉｇｈｅｒ」である場合、選択時間ｔｉｍｅが標準的選択時間以上であるとみなす。この場合、再生リスト画面４００上の番組詳細情報表示領域４２０を見て、番組内容を詳細に確認するなど、当該番組に対する興味が高いとみなされる。選択時間ｔｉｍｅがこの区間に当てはまる場合、操作ポイントには＋１５点が加点される。
【００５２】
また、選択時間ｔｉｍｅが「ＴＨ＿Ｈｉｇｈｅｒ≦ｔｉｍｅ」の場合、標準的選択時間を大幅に上回っているとみなす。この場合、再生リスト画面４００上での選択操作を途中でやめていることが想定される。選択時間ｔｉｍｅがの区間に当てはまる場合、操作ポイントには＋５点が加点される。最後に番組選択自体が行われない場合については、操作ポイントには加点されない。
【００５３】
選択判定閾値７０５は、機器設定値の初期値として与えてもよく、また、再生リスト上で操作した番組毎の選択時間の履歴を学習（選択実績の記録分析）し、選択判定閾値７０５自体を可変させてもよい。このように構成することで、使用するユーザー操作の実績値が全般的に遅い場合、選択判定閾値７０５の設定値も全体的に大きな時間を設定する。逆に、ユーザー操作の実績値が全般的に早い場合、選択判定閾値７０５の設定値も全体的に小さな時間を設定する。このように構成することで、使用ユーザーに最適な閾値を自動的に設定することができる。なお、実施の形態１においては選択判定閾値７０５として３つの閾値を示しているが、更に細分化して柔軟な得点加算を行うよう設計してもよい。
【００５４】
ここで、図７（ａ）及び（ｂ）を用いて具体的な操作ポイント（補正前）７０１の算出例を示す。まず、リモコンの再生ナビキー４４が押下されると、新しく記録した日時順で６番組（１ページ分）が抽出される。その後、リモコンの上下左右キー４６及び決定キー４７を操作することにより、選択時間情報７０２と決定可否情報７０３が決められる。その後、上述した操作ポイントテーブル７０４に当てはまる操作ポイント（補正前）を得ることができる。当該処理は再生リストのページ単位で行われる。そのためページを切替えるごとに当該操作は実行される。
【００５５】
図８は、実施の形態１における番組毎の視聴ポイントの算出方法を示す図である。視聴ポイント８００は、ユーザーに選択される確率の高い番組か否かを数値化した点数であり、数値が高いほど視聴される確率が高いことを示す。視聴ポイント８００は、システム制御部５０内の視聴確率算出手段５３によって計算される。視聴ポイント８００は、例えば、嗜好ポイント６００と操作ポイント（補正後）８０２との和によって算出される。なお、視聴ポイント８００は、嗜好ポイント６００又は操作ポイント（補正後）８０２のいずれか一方から算出することも可能である。
【００５６】
操作ポイント（補正後）８０２は、操作ポイント（補正前）７０１の積算値を元に算出される。操作ポイント（補正前）７０１は、再生リスト画面４００における選択のための操作を行う度に積算され、この積算値（合計値）を操作ポイント（補正前：積算値）８０１と呼ぶ。なお、操作ポイント（補正前：積算値）８０１がリセットされるタイミングは、ある一定期間毎、又は、電源ＯＮ／ＯＦＦと連動したタイミング、又は、ユーザーによるリセット操作が行われたタイミングのいずれであってもよく、また、他のタイミングとすることもできる。
【００５７】
操作ポイント（補正後）８０２は、「積算値であり、嗜好ポイントとの数値基準レベルが異なる」及び「操作ポイントにはマイナス値が設定される」などの理由により、視聴ポイント８００を求めるために、単純に嗜好ポイント６００との和をとることは適切ではない。そのため、実施の形態１においては、操作ポイントをノーマライズ（補正）する。
【００５８】
ノーマライズは、再生リスト画面で表示を行う番組群単位を補正対象番組とした範囲で行われる。まず、操作ポイント（補正前：積算値）８０１が最小値を持つ番組を検索する。図８においては、「ニュースＲＥＡＬ」が抽出される。抽出された番組の操作ポイント（補正前：積算値）８０１がマイナスの値である場合、このマイナスの値をゼロにするために加点する値を、すべての補正対象番組の操作ポイント（補正前：積算値）８０１に加点する。図８においては、すべての操作ポイント（補正前：積算値）８０１に＋４０を加点して、操作ポイント（補正前：積算値）８０１の値｛＋２０、−３０、＋１０、＋６０、−４０、＋４０｝を、操作ポイント（修正値）８０２の値｛＋６０、＋１０、＋５０、＋１００、０、＋８０｝に修正する。
【００５９】
その後、例えば、図６に示される嗜好ポイント６００とのレベル差を小さくするために、操作ポイント（修正値）が０〜５０の範囲に設定されるよう補正を行う。演算式としては、例えば、
「５０＊（操作ポイント（修正値））／（操作ポイント（修正値）の区間最大値）」
を用いることができる。図８における「大相撲」では、
「５０＊（＋１０）÷（＋１００）」
という演算式によって、操作ポイント（補正後）８０２が＋５と算出される。同様の処理を、補正対象番組全体に対して行うと、操作ポイント（補正後）８０２は、｛＋３０、＋５、＋２５、＋５０、０、＋４０｝に補正される。このようにして算出された操作ポイント（補正後）８０２と嗜好ポイント６００との和が、視聴確率を示す視聴ポイント８００となる。
【００６０】
図９は、実施の形態１に係る符号化映像再生装置の動作を示すフローチャートである。図９及び図１から図８までを用いて、実施の形態１における再生リスト画面４００中で視聴確率の高い番組を優先的にＡＶバッファ１５にプリロードするまでの動作を詳細に説明する。
【００６１】
ユーザーは、任意の番組を選択したい場合、リモコンの再生ナビキー４４を押下することによって、システム制御部５０に対して再生リスト画面４００の表示指示を行う。その後、システム制御部５０は、再生リスト画面４００に表示すべき番組情報を抽出する（ステップＳ１）。実施の形態１においては、録画日時の時刻順（最新の記録日時順）で、１ページに表示可能な番組数である６番組分の番組情報抽出を行う。なお、図９に示される動作は、再生リスト画面４００を呼び出した場合、及び再生リスト画面４００中でページを切替えた際に実行される。
【００６２】
次に、抽出した各番組に対して、ユーザー嗜好情報１０１に保持しているユーザー嗜好（ジャンル）５０１、ユーザー嗜好（タイトル名）５０２、ユーザー嗜好（画質）５０３に基づいて、図６で説明した手順で嗜好ポイント６００を算出する（ステップＳ２）。
【００６３】
次に、抽出した各番組に対して、ユーザー操作履歴情報１０２に保持している操作ポイント（補正前：積算値）８０１に基づいて、図８で説明した手順で操作ポイント（補正後）８０２を算出する（ステップＳ３）。次に、嗜好ポイント６００と操作ポイント（補正後）８０２の和から、視聴ポイント８００を算出する（ステップＳ４）。実施の形態１においては、嗜好ポイント６００と操作ポイント（補正後）８０２を単に加点することによって、視聴ポイント８００を求めているが、嗜好ポイント６００と操作ポイント（補正後）８０２に基づく他の数式によって視聴ポイントを算出してもよい。なお、視聴ポイント８００は、嗜好ポイント６００と操作ポイント（補正後）８０２の両方に基づいて算出されることが望ましい。
【００６４】
その後、視聴ポイント８００の数値が大きい順で、任意の番組数分だけ記録再生ドライブ部１２からＡＶバッファ１５へのプリロードを行う（ステップＳ５）。番組のプリロードは、番組開始時点（又はリジュームポイント）から、例えば、１０秒といった任意の時間長分の符号化映像情報を読込む。
【００６５】
なお、視聴ポイント８００が、あらかじめ定められた閾値を越えるものだけをプリロード対象としてもよい。そのように構成することで、視聴確率が低い番組に対してはプリロードすることがなくなるので、システム制御部５０に必要以上の負荷をかけないことができる。なお、以上の説明においては指定個数分の番組先頭部をＡＶバッファ１５に読込む場合を説明したが、ＡＶバッファ１５の容量に余裕があるならば、更に多くの番組分のストリームを蓄積してもよい。このように構成することで、例えば、ビットレートが低い番組の場合、より多くの番組のプリロードを行うことができる。
【００６６】
その後、表示装置２に再生リスト画面４００を表示させる。そして、ユーザーはリモコンの上下左右キー４６を用いて任意の番組を選択することができる（ステップＳ６）。上下左右キー４６による操作がない場合は、処理はステップＳ８に遷移する。
【００６７】
リモコンの上下左右キー４６によって番組選択が行われると、当該番組に対する選択枠４０２による選択時間を計測し、図７で説明した操作ポイント（補正前）７０１を更新する（ステップＳ７）。具体的には、図７で説明した手順で操作ポイント（補正前）７０１を算出する。その後、操作ポイント（補正前）７０１をユーザー操作履歴情報１０２内の操作ポイント（補正前：積算値）８０１に加点することで、操作ポイント（補正前：積算値）８０１の値を更新する。なお、加点するタイミングは、再生リスト画面４００を閉じるときでもよく、又は、再生リスト画面４００のページを切替えたときでもよく、又は、再生リスト画面４００の選択枠４０２が移動したときでもよい。また、図７で説明した操作ポイント（補正前）７０１の更新は、番組自身の操作ポイント（補正前：積算値）８０１だけを更新していたが、タイトル名が似ているものや同じジャンルのものに対して加点してもよい。
【００６８】
その後、ユーザーは、リモコンの決定キー４７にて任意の番組に対して再生指示を行うことができる（ステップＳ８）。リモコンの決定キー４７による操作がない場合は、処理はステップＳ６に遷移し、ユーザーからの入力を待つ。
【００６９】
そして、再生指示された番組が、記録再生ドライブ部１２からＡＶバッファ１５へのプリロードが既に終了しているかを判定する（ステップＳ９）。もしプリロード済番組であれば、再生リスト画面４００の表示を終了し、当該番組映像の再生を行う。もしプリロード済番組でなければ、記録再生ドライブ部１２からＡＶバッファ１５に当該番組を読み込み（ステップＳ１０）を行った後、番組の映像再生を行う。
【００７０】
以上に説明したように、実施の形態１に係る符号化映像再生装置又は符号化映像再生方法によれば、再生リスト画面４００を表示した際に、視聴する確率の高い番組から順番に記録再生ドライブ部１２からＡＶバッファ１５に番組映像情報をプリロードできるため、大きなＡＶバッファ１５を持たなくても視聴確率の高い番組を即座に出力できる確率が高くなるという効果を奏する。
【００７１】
また、実施の形態１に係る符号化映像再生装置又は符号化映像再生方法によれば、番組の視聴確率は、番組の再生履歴情報や、操作部からのユーザー操作履歴情報に基づいて自動更新されるので、ユーザーは特段の設定を行うなどの手間をかける必要がない。
【００７２】
実施の形態２．
実施の形態１においては、ユーザー嗜好情報１０１とユーザー操作履歴情報１０２とから再生確率を算出し、再生リスト画面４００にて再生する確率が高い番組から順番にプリロードを行い、再生リスト画面４００からの再生指示後、即座に番組が出画される確率を高くする装置及び方法を提案した。実施の形態２においては、編集時やダビング時などに用いられ、次に選択される確率が高い番組の順に再生リスト画面４００を並び替えることを特徴としている。このように構成することで、編集時においては次に操作を行う可能性が高い番組をまとめて表示することができるため、番組を探す労力を削減することができる。また、次に操作する確率の高い番組から順番に並び替えをしているため、次に操作する確率の高い番組に到達するために要する操作数を削減することができ、ユーザーに対する操作負荷を抑制することができる。
【００７３】
図１０は、実施の形態２に係る符号化映像再生装置の動作を示すフローチャートである。図１０及び前述した図１から図８までを用いて、実施の形態２で示すリスト画面の並び替え動作を詳細に説明する。実施の形態２においては、ダビングを行う際に複数の番組を選択する場合を説明する。なお、番組選択は再生リスト画面４００と同様なインターフェースを持つ場合を説明するが、専用のダビング編集画面を用意してもよい。
【００７４】
まず、ユーザーは、任意の番組のダビングなどを行いたい場合に、再生リスト画面４００を表示し、ダビングしたい番組を選択する。このとき、実施の形態１のステップＳ１からステップＳ４までと基本的に同様な手順で視聴ポイント８００の算出を行う。なお、ステップＳ３においては編集やダビング時には、直前に選択した番組と強い相関性を示す番組や映像シーンが次に選択される可能性が高いため、直前に選択した番組や映像シーンなどに操作ポイントの加点を大きく割り当ててもよい。
【００７５】
ステップＳ４にて視聴ポイント８００の算出をした後、視聴ポイント８００に基づいた番組順でソートした再生リスト画面４００を構成できる（ステップＳ２０）。そうすることによって、上位には次に操作が行われる確率が高い番組順で番組が配置される。このように構成することにより、ユーザーは次に操作したい番組を選ぶことが容易になるとともに、少ない操作で所望の番組を選択することができる。
【００７６】
以上に説明したように、実施の形態２に係る符号化映像再生装置１又は符号化映像再生方法によれば、編集時に操作対象の番組を容易に見つけることができ、ユーザーの操作負荷を削減することができる。
【００７７】
なお、実施の形態２において、上記以外の点は、上記実施の形態１の場合と同じである。
【図面の簡単な説明】
【００７８】
【図１】本発明の実施の形態１に係る符号化映像再生装置の構成を概略的に示すブロック図である。
【図２】実施の形態１に係る符号化映像再生装置においてユーザー要求を入力するためのリモコンを示す図である。
【図３】実施の形態１における録画番組情報のデータ構造を示す図である
【図４】実施の形態１における再生リスト画面の一例を示す図である。
【図５】（ａ）乃至（ｃ）は、実施の形態１におけるユーザー嗜好テーブルを示す図である。
【図６】実施の形態１における記録番組の嗜好ポイントの算出方法を示す図である。
【図７】（ａ）及び（ｂ）は、実施の形態１におけるユーザー操作履歴情報の操作ポイント（補正前）の算出方法を示す図である。
【図８】実施の形態１における番組毎の視聴ポイントの算出方法を示す図である。
【図９】本発明の実施の形態１に係る符号化映像再生装置の動作を示すフローチャートである。
【図１０】本発明に係る実施の形態２に係る符号化映像再生装置の動作を示すフローチャートである。
【符号の説明】
【００７９】
１  符号化映像再生装置、  ２  表示装置、  １０  デコーダブロック、  １１  放送受信部、  １２  記録再生ドライブ部、  １３  ストリーム制御部、  １４  映像音声デコーダ部、  １５  ＡＶバッファ、  １６  ＡＶデコーダ、  １７  ＯＳＤ生成部、  １８  加算器、  １９  デジタルインターフェース部、  ２０  メモリ部、  ３０  時間情報提供部、  ４０  操作部（リモコン）、  ４１  電源キー、  ４２  数字キー群、  ４３  番組操作キー群、  ４４  再生ナビキー、  ４５  戻るキー、  ４６  上下左右キー、  ４７  決定キー、  ４８  色キー群、  ５０  システム制御部、  ５１  嗜好情報生成手段、  ５２  操作履歴情報生成手段、  ５３  視聴確率算出手段、  １０１  ユーザー嗜好情報、  １０２  ユーザー操作履歴情報、  ３００  録画番組情報、  ３０１  番組レコード、  ３１１  番組識別ＩＤ、  ３１２  タイトル名、  ３１３  ジャンル情報、  ３１４  記録日時、  ３１５  記録時間、  ３１６  画質情報、  ３１７  視聴回数、  ３１８  再生率、  ３１９  ユーザー情報、  ４００  再生リスト画面、  ４０１  番組選択情報領域、  ４０２  選択枠、  ４０３  次ページボタン、  ４１０  ページ情報表示領域、  ４２０  番組詳細情報表示領域、  ４２１  代表画像、  ４３０  ソート順序表示領域、  ５０１  ユーザー嗜好リスト（ジャンル）、  ５０２  ユーザー嗜好リスト（タイトル名）、  ５０３  ユーザー嗜好リスト（画質）、  ６００  嗜好ポイント、  ７０１  操作ポイント（補正前）、  ７０２  選択時間情報、  ７０３  決定可否情報、  ７０４  操作ポイントテーブル、  ７０５  選択判定閾値、  ７０６  操作ポイントテーブル（非選択時）、  ８００  視聴ポイント、  ８０１  操作ポイント（補正前：積算値）、  ８０２  操作ポイント（補正後）。
【図１】
2010056702.tif 000003
【図２】
2010056702.tif 000004
【図３】
2010056702.tif 000005
【図４】
2010056702.tif 000006
【図５】
2010056702.tif 000007
【図６】
2010056702.tif 000008
【図７】
2010056702.tif 000009
【図８】
2010056702.tif 000010
【図９】
2010056702.tif 000011
【図１０】
2010056702.tif 000012